(57)【要約】【課題】テレビジョン受像機において放送中のコンテンツと外部装置に記録されているコンテンツとを併せたコンテンツの中から，出力対象コンテンツを簡易な操作によって選択でき，その選択の際にコンテンツ映像の鑑賞を極力妨げないこと。【解決手段】通信手段を通じて外部装置からそこに記録されている記録コンテンツの情報を取得（Ｓ２）し，放送中コンテンツ及び記録コンテンツを併せた出力候補コンテンツを，電子番組ガイド情報及び記録コンテンツの情報における分類項目の内容に応じて複数のグループに分類し（Ｓ３），映像表示部に，既に表示中の映像と併せて複数のグループのタイトルの一覧を表示させ（Ｓ４），リモコンの選択操作に応じて，複数のグループのいずれかに分類されたコンテンツに関する情報をプルダウン表示させつついずれかのコンテンツを選択し（Ｓ５〜Ｓ１０），選択したコンテンツの映像を映像表示部に表示させる（Ｓ１３）。【選択図】図２
2009065409.tif 000002
【特許請求の範囲】
【請求項１】
受信された放送信号から放送中コンテンツの映像信号を抽出するチューナと，外部装置から該外部装置に記録されている記録コンテンツの映像信号を入力する外部信号入力手段と，前記放送中コンテンツの映像信号又は前記記録コンテンツの映像信号に基づく映像を表示する映像表示手段と，前記外部装置と通信を行う通信手段と，を備えたテレビジョン受像機であって，
前記放送中コンテンツの内容に関する情報を含む電子番組ガイド情報を記憶する電子番組ガイド情報記憶手段と，
前記通信手段を通じて前記外部装置から該外部装置に記録されている前記記録コンテンツの内容に関する記録コンテンツ情報を取得する記録コンテンツ情報取得手段と，
前記放送中コンテンツ及び前記記録コンテンツを併せた出力候補コンテンツを前記電子番組ガイド情報及び前記記録コンテンツ情報における予め定められた分類項目の情報内容に応じて複数のグループに分類するコンテンツ分類手段と，
前記映像表示手段に，既に表示中の映像と併せて前記複数のグループのタイトルの一覧を表示させるタイトル一覧表示制御手段と，
所定の操作部を通じた選択操作に応じて，前記複数のグループのいずれかに分類された前記出力候補コンテンツに関する情報を前記映像表示手段においてプルダウン表示させつつ前記出力候補コンテンツの中からいずれかのコンテンツを選択するプルダウンメニュー選択処理を実行するコンテンツ選択手段と，
前記コンテンツ選択手段により選択されたコンテンツの映像を前記映像表示手段に表示させる選択コンテンツ出力制御手段と，
を具備してなることを特徴とするテレビジョン受像機。
【請求項２】
前記分類項目が，前記放送中コンテンツ及び前記記録コンテンツそれぞれのジャンルである請求項１に記載のテレビジョン受像機。
【請求項３】
所定の操作部を通じた入力情報に基づいて，前記コンテンツ分類手段により用いられる前記分類項目及びその内容の一方又は両方を設定する分類項目設定手段を具備してなる請求項１又は２のいずれかに記載のテレビジョン受像機。
【請求項４】
前記放送中コンテンツについての前記分類項目が放送媒体の種類であり，前記記録コンテンツについての前記分類項目がコンテンツの記録先の種類である請求項１に記載のテレビジョン受像機。
【請求項５】
前記タイトル一覧表示制御手段が，前記映像表示手段における映像表示エリアの縁部に前記複数のグループのタイトルを並べて一覧表示させてなる請求項１〜４のいずれかに記載のテレビジョン受像機。
【発明の詳細な説明】
【技術分野】
【０００１】
本発明は，放送中コンテンツの映像信号又は外部装置から入力された記録コンテンツの映像信号に基づく映像を表示する映像表示手段を備えたテレビジョン受像機に関するものである。
【背景技術】
【０００２】
一般に，テレビジョン受像機は，受信された放送信号から放送中コンテンツの映像信号（即ち，放送中番組の映像信号）を抽出するチューナと，録画再生装置等の外部装置からその外部装置に記録されている記録コンテンツの映像信号を入力する外部信号入力インターフェースと，映像を表示する映像表示部とを備えている。そして，テレビジョン受像機は，チューナにより抽出された映像信号（放送中コンテンツの映像信号）或いは外部信号入力インターフェースを通じて入力された映像信号に基づく映像を切り替えて前記映像表示部に表示させる。そのようなテレビジョン受像機は，一般に，所定のチャンネル選択操作に応じて放送中コンテンツの中から出力対象とする（映像表示部への表示対象とする）コンテンツを選択し，また，外部装置における記録コンテンツの情報が配列されたメニュー画面を映像表示部に表示させ，そのメニュー画面に対する所定の選択操作に応じて外部装置における記録コンテンツの中から出力対象とするコンテンツを選択する。
なお，外部装置に記録されている記録コンテンツとは，外部装置自体が内蔵する情報記録媒体に記録したコンテンツの他，再生専用のＤＶＤプレイヤー等の外部装置（コンテンツ再生装置）に装着された着脱自在の情報記録媒体（ＤＶＤ等）に予め記録されているコンテンツ等も含まれる。
また，昨今のテレビジョン受像機は，放送中コンテンツ（放送中番組）の内容に関する電子番組ガイド情報を，放送信号やインターネット等を通じて予め取得するとともにメモリに記憶させ，その情報を各種の処理に利用する機能を備えるものもある。
例えば，特許文献１及び特許文献２には，過去に蓄積したコンテンツ（外部装置に記録された番組の録画データ），現在放送中のコンテンツ及び今後放送されるコンテンツの各情報をその属性値に基づいてグループ分けし，そのグループごとにコンテンツの情報を配列した番組表を映像表示部に表示させるとともに，その番組表の表示画面に対する所定の選択操作により選択されたコンテンツを映像表示部に表示させる情報出力装置について示されている。
【特許文献１】特開２００６−１１５３７３号公報
【特許文献２】特開２００６−１９１２５５号公報
【発明の開示】
【発明が解決しようとする課題】
【０００３】
しかしながら，昨今のテレビジョン受像機は，地上波，ＢＳ放送，ＣＳ放送等，受信可能な放送媒体の種類及びチャンネル数が多く，また，テレビジョン受像機に接続される外部装置（録画再生装置がその典型例）におけるコンテンツの記憶媒体（ハードディスクやＤＶＤ等）の容量も大きい。よって，昨今のテレビジョン受像機は，出力（映像表示）の候補となるコンテンツ，即ち，現在放送中のコンテンツ（番組）と外部装置において既に記録されているコンテンツとを併せたコンテンツ（以下，出力候補コンテンツという）の数が非常に多い。そのため，従来のテレビジョン受像機において，そのような数多くの出力候補コンテンツの中から出力対象とするコンテンツを選択する操作は非常に煩雑であるという問題点があった。
また，特許文献１，２に示されるように，過去から現在及び未来にわたる多数のコンテンツに関する情報を含む番組表を映像表示部に表示させた場合，その番組表の表示領域が映像表示部の全表示領域の大部分を占めてしまうため，事実上，それまで鑑賞中のコンテンツ映像の鑑賞を中断せざるを得なくなり，操作性（利便性）が悪いという問題点があった。
従って，本発明は上記事情に鑑みてなされたものであり，その目的とするところは，放送中のコンテンツ（番組）と外部装置において既に記録されているコンテンツとを併せた数多くの出力候補コンテンツの中から，出力対象とするコンテンツを簡易な操作によって選択できるとともに，その選択の際にコンテンツ映像の鑑賞を極力妨げないテレビジョン受像機を提供することにある。
【課題を解決するための手段】
【０００４】
上記課題を解決するために，本発明に係るテレビジョン受像機は，次の（１）〜（１０）に示す各構成要素を備えるものである。
（１）受信された放送信号から放送中コンテンツ（放送中の番組）の映像信号を抽出するチューナ。
（２）外部装置からその外部装置に記録されているコンテンツ（以下，記録コンテンツという）の映像信号を入力する外部信号入力手段。
（３）前記放送中コンテンツの映像信号又は前記記録コンテンツの映像信号に基づく映像を表示する映像表示手段。
（４）前記外部装置と通信を行う通信手段。
（５）前記放送中コンテンツの内容に関する情報を含む電子番組ガイド情報を記憶する電子番組ガイド情報記憶手段。
（６）前記通信手段を通じて前記外部装置からその外部装置に記録されている前記記録コンテンツの内容に関する記録コンテンツ情報を取得する記録コンテンツ情報取得手段。
（７）前記放送中コンテンツ及び前記記録コンテンツを併せたコンテンツ（以下，出力候補コンテンツという）を前記電子番組ガイド情報及び前記記録コンテンツ情報における予め定められた分類項目の情報内容に応じて複数のグループに分類するコンテンツ分類手段。
（８）前記映像表示手段に，既に表示中の映像と併せて前記複数のグループのタイトルの一覧を表示させるタイトル一覧表示制御手段。
なお，前記タイトル一覧表示制御手段が，前記映像表示手段における映像表示エリアの縁部に前記複数のグループのタイトルを並べて一覧表示させることが望ましい。
（９）所定の操作部を通じた選択操作に応じて，前記複数のグループのいずれかに分類された前記出力候補コンテンツに関する情報を前記映像表示手段においてプルダウン表示させつつ前記出力候補コンテンツの中からいずれかのコンテンツを選択するプルダウンメニュー選択処理を実行するコンテンツ選択手段。
（１０）前記コンテンツ選択手段により選択されたコンテンツの映像を前記映像表示手段に表示させる選択コンテンツ出力制御手段。
【０００５】
本発明に係るテレビジョン受像機は，チューナを通じて得られる前記放送中コンテンツ（番組）と，外部装置に記録されている前記記録コンテンツとを併せた出力候補コンテンツを，所定の分類項目によって一括して複数のグループに分類するとともに，各グループのタイトルの一覧を初期メニューとするプルダウンメニュー選択処理によって出力対象とするコンテンツを選択する。そのため，ユーザは，当該テレビジョン受像機及び外部装置のそれぞれがどのようなコンテンツを受信又は記憶しているかを把握していなくても，簡易なプルダウンメニュー選択操作によって出力対象とするコンテンツを選択できる。
また，本発明に係るテレビジョン受像機は，既に表示中の映像と併せて出力候補コンテンツの各グループのタイトルの一覧をプルダウンメニュー選択処理における初期メニューとして映像表示手段に表示させるため，ユーザの選択操作により選択されたグループに対応するコンテンツの情報以外の無駄な情報（他のグループに分類されたコンテンツの情報）は表示されない。そのため，本発明に係るテレビジョン受像機は，出力対象とするコンテンツの選択の際に，既に表示中のコンテンツ映像の鑑賞（視認）をほとんど妨げない（鑑賞の邪魔にならない）。
ここで，前記分類項目としては，前記放送中コンテンツ及び前記記録コンテンツそれぞれのジャンルが考えられる。
【０００６】
また，本発明に係るテレビジョン受像機が，所定の操作部を通じた入力情報に基づいて，前記コンテンツ分類手段により用いられる前記分類項目及びその内容の一方又は両方を設定する分類項目設定手段をさらに備えることも考えられる。
これにより，ユーザの嗜好に応じた前記分類項目やその内容を設定でき，より利便性（自由度）が高まる。
一方，前記放送中コンテンツについての前記分類項目が放送媒体の種類であり，前記記録コンテンツについての前記分類項目がコンテンツの記録先の種類であることも考えられる。
【発明の効果】
【０００７】
本発明によれば，放送中のコンテンツ（番組）と外部装置において既に記録されているコンテンツとを併せた数多くの出力候補コンテンツの中から，出力対象とするコンテンツを簡易な操作によって選択できるとともに，その選択の際にコンテンツ映像の鑑賞を極力妨げないテレビジョン受像機を提供することができ，その結果，ユーザの利便性（操作性）を高めることができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおける出力対象コンテンツ選択処理の手順を表すフローチャート，図３はテレビジョン受像機Ｘにおける出力対象コンテンツ選択用の初期メニュー画面の一例を表す図，図４はテレビジョン受像機Ｘにおける出力対象コンテンツ選択用のプルダウンメニュー画面の第１の例を表す図，図５はテレビジョン受像機Ｘにおける出力対象コンテンツ選択用のプルダウンメニュー画面の第２の例を表す図である。
【０００９】
まず，図１に示すブロック図を参照しつつ，本発明の実施形態に係るテレビジョン受像機Ｘの構成について説明する。
テレビジョン受像機Ｘは，入力された放送信号から抽出された映像信号や外部装置から入力された映像信号に基づく映像を映像表示部７（映像表示手段の一例）により表示する機能を備えている。
図１に示すように，テレビジョン受像機Ｘは，ディジタルチューナ１，復調回路２，デマルチプレクサ３，映像デーコーダ回路４，映像入力選択回路５，映像処理回路６，映像表示部７，制御回路８，リモコン受光部９，音声デコーダ回路１０，音声入力選択回路１１，音声処理回路１２，アンプ１３，，スピーカ１４，リモコン１５及びＨＤＭＩ（High Definition Multimedia Interface）インターフェース１６等を具備している。
【００１０】
前記ディジタルチューナ１は，受信された放送信号から放送中のコンテンツ（放送番組）の映像信号を抽出するものであり，前記制御回路８により選択を指示された放送番組の信号が含まれる搬送波周波数成分を選択して後段の復調回路２に伝送する。なお，ディジタルチューナ１は，放送媒体（地上波，ＢＳ，ＣＳ等）ごとに個別に設けられるが，その構成は図１においては簡略化して記載されている。
前記復調回路２は，前記ディジタルチューナ１から伝送されてきた搬送波周波数成分からトランスポートストリーム信号（Transport Stream信号：以下、ＴＳ信号）を復調する。
前記デマルチプレクサ３は，前記ディジタルチューナ１及び前記復調回路２により抽出されたＴＳ信号から，視聴する放送番組に対応した映像信号及び音声信号，並びに付加データ等を分離して抽出するものである。さらに，前記デマルチプレクサ３は，前記制御回路８から受けたＰＩＤ（Packet IDentification)に応じて，視聴対象となる放送番組の映像信号及び音声信号を抽出し，各信号を前記映像デコーダ回路４及び前記音声デコーダ回路１０それぞれに伝送する。
また，前記デマルチプレクサ３は，ＴＳ信号から，付加データであるＳＩ（Service Information）等を抽出して前記制御回路８に伝送する。このＳＩは，ＥＰＧ（電子番組ガイド）の情報（例えば，番組名，番組のジャンル，放送時間等を示す情報）が多重化されたデータである。
前記映像デコーダ回路４は，前記デマルチプレクサ３から受けた映像信号を復号し，復号した映像信号を前記映像入力選択回路５に伝送する。同様に，前記音声デコーダ回路１０は，前記デマルチプレクサ３から受けた音声信号を復号し，復号した音声信号を前記音声入力選択回路１１に伝送する。
【００１１】
前記ＨＤＭＩインターフェース１６は，ＨＤＭＩ規格に準拠した信号伝送手段であり，ＨＤＭＩケーブル２０を通じて１台又は複数台の録画再生装置Ｙ（外部装置の一例）と接続され，録画再生装置Ｙからベースバンド方式でＡＶ信号（音声信号及び映像信号）を入力するＡＶ信号入力用のインターフェースであるとともに，録画再生装置Ｙとの間で各種情報の送受信を行う通信装置でもある。
ＨＤＭＩケーブル２０は，ＡＶ信号を伝送するＴＭＤＳ（Transition Minimized Differential Signaling）ラインと，ＨＤＭＩ規格のオプション規格であるＣＥＣ規格に準拠したＣＥＣラインを含んでいる。このＣＥＣラインは，テレビジョン受像機Ｘと録画再生装置Ｙとの間で送受信される情報を伝送する信号伝送ラインである。
このＨＤＭＩインターフェース１６を通じて入力された映像信号は前記映像入力選択回路５へ伝送され，同音声信号は前記音声入力選択回路１１へ伝送される。また，前記制御回路８は，このＨＤＭＩインターフェース１６を通じて外部装置（録画再生装置Ｙ）との間で情報の送受信を行う。
前記映像入力選択回路５は，前記制御回路８からの制御指令に従って，前記ディジタルチューナ１により選局（抽出）されたチャンネルの映像信号（前記映像デコーダ回路４を通じて入力される映像信号）と，前記ＨＤＭＩインターフェース１６を通じて入力される映像信号とのいずれかを選択して前記映像処理回路６へ伝送する回路である。
前記映像処理回路６は，前記映像入力選択回路５により選択された映像信号に対して各種信号処理を行うものである。例えば，前記映像処理回路６は，制御回路８から伝送される画像情報や文字情報を，映像入力選択回路５から伝送される映像信号に基づく映像に重ねて映像表示部７に表示させるＯＳＤ（On Screen Display）表示機能を備えている。
【００１２】
前記音声入力選択回路１１は，前記制御回路８からの制御指令に従って，前記ディジタルチューナ１により選局されたチャンネルの音声信号（前記音声デコーダ回路１０を通じて入力される音声信号）と，前記ＨＤＭＩインターフェース１６を通じて入力される音声信号とのいずれかを選択して前記音声処理回路１２へ伝送する回路である。
前記音声処理回路１２は，前記制御回路８からの指示に従って，前記音声入力選択回路１１により選択された音声信号に対して各種信号処理を行うものである。例えば，前記スピーカ１４の特性に合わせたイコライズ処理や，サラウンド処理等を行う。前記アンプ１３は，前記音声処理回路１２による処理後の音声信号を，前記制御回路８からの指示に従って増幅或いは減衰させる処理を行い，前記スピーカ１４に出力するものである。
また，前記映像表示部７は，映像処理回路６から出力される映像信号に基づく映像を表示するものであり，例えば，液晶表示パネルとバックライトとを備えた液晶表示部等である。
前記リモコン受光部９は，当該テレビジョン受像機Ｘの操作用のリモコン１５（リモート操作器）から，所定の信号伝送プロトコル（いわゆるリモコンプロトコル）に従った信号伝送により，赤外線による無線信号受信を行う信号伝送インターフェースである。リモコン受光部９は，赤外線信号伝送によって前記リモコン１５（操作部）に対する操作入力情報を取得し，その操作入力情報を前記制御回路８に伝送する。
【００１３】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該テレビジョン受像機Ｘ全体を制御するものである。前記不揮発メモリ８ｃは，例えばフラッシュメモリ等である。
また，制御回路８は前記デマルチプレクサ３により抽出されたＳＩに基づいて，現在放送中のコンテンツ（番組）及びこれから放送予定のコンテンツの内容に関する情報であるＥＰＧ情報（電子番組ガイド情報）を取得し，そのＥＰＧ情報を前記不揮発メモリ８ｃ（前記電子番組ガイド情報記憶手段の一例）に記憶させる。このＥＰＧ情報には，放送中コンテンツそれぞれについてのタイトル（番組名），放送媒体の種類（地上波，ＢＳ，ＣＳ等）及び放送チャンネル，放送開始日時及び放送終了日時，コンテンツのジャンル（ニュース，ワイドショー等），出演者等の情報が含まれている。
【００１４】
一方，録画再生装置Ｙは，放送信号から抽出したコンテンツ（放送番組等）のＡＶ信号（映像信号及び音声信号）を圧縮符号化してハードディスクやＤＶＤ等の記録メディアに記録（録画）する録画処理を実行する。さらに，録画再生装置Ｙは，その記録メディアに記録（記憶）されたコンテンツ（以下，記録コンテンツという）のデータ（録画データ）を復号化し，復号化後の信号（再生信号）をＨＤＭＩケーブル２０（におけるＴＭＤＳライン）を通じてテレビジョン受像機Ｘに対して出力する再生処理も実行する。
さらに，録画再生装置Ｙは，テレビジョン受像機Ｘから記録コンテンツを指定してその再生処理を行うことを指示する再生指示コマンドをＨＤＭＩケーブル２０（におけるＣＥＣライン）を通じて受信した場合，指定された記録コンテンツの再生処理を実行する。再生信号における映像信号は，テレビジョン受像機Ｘの映像表示部７により映像化され，また，再生信号における音声信号は，テレビジョン受像機Ｘのスピーカ１４より音響化される。
また，録画再生装置Ｙにおいて，記録コンテンツの記録メディアには，記録コンテンツとともにその内容に関する付加情報が記録される。この付加情報には，記録コンテンツそれぞれのタイトル（番組名等），録画開始日時及び録画終了日時，コンテンツのジャンル（ニュース，ワイドショー等），出演者等の情報が含まれている。これら付加情報のうち，記録コンテンツのタイトルやジャンル，出演者等の情報は，録画再生装置Ｙが，テレビジョン受像機Ｘと同様にその記憶部に記憶させる電子番組ガイド情報（ＥＰＧ情報）に基づいて設定される情報である。
【００１５】
テレビジョン受像機Ｘは，現在放送中のコンテンツ（以下，放送中コンテンツという）と録画再生装置Ｙにおいて既に記録されている前記記録コンテンツとを併せた数多くのコンテンツ（以下，出力候補コンテンツという）の中から，出力対象とするコンテンツを簡易な操作によって選択する出力対象コンテンツ選択処理を実行する機能を備えている。
以下，図２に示すフローチャートを参照しつつ，制御回路８（のＭＰＵ８ａ）が所定のプログラムを実行することによって実現される出力対象コンテンツ選択処理の手順について説明する。図２に示す処理は，当該テレビジョン受像機Ｘの起動後に，予め選局されたチャンネル（前回の停止前に選局されていたチャンネル）における放送中コンテンツの映像が映像表示部７に表示されている状態において開始されるものとする。なお，以下に示すＳ１，Ｓ２，…は，処理手順（ステップ）の識別符号を表す。
【００１６】
［ステップＳ１，Ｓ２］
まず，制御回路８は，リモコン１５に対して所定のメニュー表示操作（例えば，リモコン１５に設けられたメニューキーの押下操作）がなされたか否かを随時チェックする（Ｓ１）。
そして，制御回路８は，メニュー表示操作がなされたことを検知すると，出力候補コンテンツ（放送中コンテンツ及び録画再生装置Ｙにおける記録コンテンツ）それぞれのコンテンツ情報を取得する処理を実行する（Ｓ２）。
より具体的には，制御回路８は，ステップＳ２において，予め不揮発メモリ８ｃに記憶させておいたＥＰＧ情報（電子番組ガイド情報）を参照することにより，放送中コンテンツの内容に関するコンテンツ情報（以下，放送中コンテンツ情報という）を読み出す。ここで，放送中コンテンツ情報には，放送中コンテンツの識別情報としてコンテンツのタイトル，放送媒体（放送メディア）及び放送チャンネルの情報が含まれ，さらに，その放送中コンテンツの分類に用いる分類項目の情報としてジャンルの情報が含まれる。
さらに，制御回路８は，ステップＳ２において，ＨＤＭＩインターフェース１６（通信手段の一例）によるＣＥＣ通信を行うことにより，録画再生装置Ｙそれぞれからその録画再生装置Ｙに記録されている記録コンテンツの内容に関するコンテンツ情報（以下，記録コンテンツ情報という）を取得する（前記記録コンテンツ情報取得手段の一例）。その際，制御回路８は，録画再生装置Ｙに対して記録コンテンツ情報の要求コマンドを送信するとともに，それに応じて録画再生装置Ｙから返信される記録コンテンツ情報を受信する。ここで，記録コンテンツ情報には，記録コンテンツの識別情報としてコンテンツのタイトル及び記録先（録画再生装置Ｙの名称及びコンテンツが記録されているメディア）の情報が含まれ，さらに，その記録コンテンツの分類に用いる分類項目の情報としてジャンルの情報が含まれる。なお，記録コンテンツのタイトル及びジャンルは，録画再生装置Ｙにおいて記録コンテンツとともに記録メディアに記録される前記付加情報に含まれる情報である。
【００１７】
［ステップＳ３］
次に，制御回路８は，放送中コンテンツ及び記録コンテンツを併せた出力候補コンテンツを，ステップＳ２で取得したコンテンツ情報（ＥＰＧ情報における放送中コンテンツ情報及び記録コンテンツ情報）におけるジャンル（分類項目の一例）の情報内容に応じて複数のグループに分類する（Ｓ３，前記コンテンツ分類手段の一例）。より具体的には，制御回路８は，ステップＳ２で取得したコンテンツ情報に含まれるジャンル情報の内容（値）が，予め設定された複数の内容（音楽，報道，ドラマ，映画，スポーツなど）のいずれかであるものどうしをグループ化することによって出力候補コンテンツを複数のグループに分類する。なお，制御回路８は，ジャンルの内容が予め設定された複数の内容のいずれにも該当しないコンテンツについては，「その他」というグループに分類する。
【００１８】
［ステップＳ４］
さらに，制御回路８は，映像処理回路６を制御することにより，映像表示部７に，既に表示中の映像と併せて，ステップＳ３で分類された複数のグループのタイトルの一覧をプルダウン選択メニューの初期メニューとしてＯＳＤ表示させる（Ｓ４，前記タイトル一覧表示制御手段の一例）。
図３は，ステップＳ４の処理によって映像表示部７に表示される出力対象コンテンツ選択用の初期メニュー画面の一例を表す図である。
図３に示すように，制御回路８は，映像表示部７における映像表示エリアの縁部（図３の例では，映像表示エリアにおける上辺近傍の縁部）に，既に表示中の映像ｖ０に重ねて複数のグループのタイトルを並べて一覧表示させたプルダウン選択メニューの初期メニューｖ１をＯＳＤ表示させる。また，図３に示す例では，表示されるグループのタイトルは，分類（グループ化）に用いられた分類項目の内容（予め設定されたジャンルの内容）である。なお，それらの内容で分類できなかったコンテンツのグループのタイトルは「その他」としている。
【００１９】
［ステップＳ５〜Ｓ１０］
その後，制御回路８は，リモコン１５（操作部の一例）を通じた所定の選択操作（例えば，上下左右の方向キーの押下によるカーソル移動操作）がなされたことを検知し，その検知結果に応じて，ステップＳ３において複数のグループのいずれかに分類された前記出力候補コンテンツに関する情報（前記コンテンツ情報）を映像表示部７においてプルダウン表示させつつ，前記出力候補コンテンツ（前記放送中コンテンツ及び前記記録コンテンツ）の中からいずれかのコンテンツを選択するプルダウンメニュー選択処理を実行する（Ｓ５〜Ｓ１０，前記コンテンツ選択手段の一例）。
より具体的には，制御回路８は，前記選択操作によっていずれかのグループ（グループのタイトル）が選択されたか否かを検知し（Ｓ５），いずれかのグループが選択されたこと（いずれかのタイトルの表示位置にカーソルが移動されたこと）を検知すると，映像処理回路６を制御することにより，選択されたグループに属する（そのグループに分類された）出力候補コンテンツに対応するコンテンツ情報（ステップＳ２で取得した情報）をプルダウンメニューとして映像表示部７にＯＳＤ表示させる。
【００２０】
図４は，ステップS６において映像表示部７に表示される出力対象コンテンツ選択用のプルダウンメニュー画面の一例（第１の例）を表す図である。
図４に示すように，複数のグループ（タイトル）の中から選択されたものに対応するコンテンツ情報のリストのみが選択メニューとしてプルダウン表示される。なお，図４に示す例は，タイトル（即ち，分類に用いたジャンルの内容）が「映画」であるグループが選択され，そのグループに選択された出力候補コンテンツのコンテンツ情報のリストが選択メニューとして表示されている例を表す。また，図４に示す例では，プルダウンメニューとして表示されるコンテンツ情報に，コンテンツのタイトル，前記放送中コンテンツについてはその放送媒体の種類（ＢＳ，地上波等）及び放送チャンネル，前記記録コンテンツについてはその記録先の種類に関する情報が含まれる。ここで，記録コンテンツの規則先の種類は，例えば，録画再生装置Ｙの名称及びコンテンツの記録媒体の種類（ＨＤＤやＤＶＤ等）の一方又は両方が考えられる。
【００２１】
また，制御回路８は，プルダウンメニューの表示中に，前記選択操作によっていずれかのコンテンツ（プルダウンメニュー表示されたコンテンツ情報）が選択されたか否かを検知し（Ｓ７），いずれかのコンテンツが選択されたこと（いずれかのコンテンツ情報の表示位置にカーソルが移動されたこと）を検知すると，選択されたコンテンツを出力対象として確定させる（Ｓ１０）。
また，制御回路８は，出力対象コンテンツ選択用の初期メニュー画面を表示させた（Ｓ４）後，前記選択操作によって再びいずれかのグループ（グループのタイトル）が選択されるか否かを監視し（Ｓ５），いずれかのグループが選択されたこと（いずれかのタイトルの表示位置にカーソルが移動されたこと）を検知すると，新たに選択されたグループについて，再びプルダウンメニューの表示処理（Ｓ６）及びそのプルダウンメニューに基づくコンテンツ選択処理（Ｓ７）を実行する。なお，その際，制御回路８は，既に他のグループについて表示させているプルダウンメニューについては，その表示を消去させる。
一方，制御回路８は，出力対象コンテンツ選択用の初期メニュー画面を表示させた（Ｓ４）後，リモコン１５（操作部の一例）に対する所定のメニュー消去操作（例えば，リモコン１５に設けられたメニューキーの再度の押下操作）がなされた否か，及びリモコン１５に対する操作がなされない状態（放置状態）が一定時間以上継続したか否かを監視し（Ｓ８），そのいずれかを検知した場合には，映像処理回路６を制御することにより，前記初期メニュー画面の表示を消去させ（Ｓ９），その後，処理を前述したステップＳ１へ戻す。
以上のようにして制御回路８は，プルダウンメニュー選択処理を実行する（Ｓ５〜Ｓ１０）。
【００２２】
［ステップＳ１１，Ｓ１２］
続けて，制御回路８は，出力対象とするコンテンツの選択を確定させる（Ｓ１０）と，そのコンテンツが自装置で受信中の前記放送中コンテンツであるのか，或いは外部の録画再生装置Ａに記録された前記記録コンテンツであるのかを判別する（Ｓ１１）。
さらに，制御回路８は，選択したコンテンツが前記記録コンテンツであると判別すると，その記録コンテンツが記録（記憶）されている録画再生装置Ｙに対し，その記録コンテンツの再生処理を行うことを指示する前記再生指示コマンドをHDMIインターフェース１６を通じて送信する（Ｓ１２）。これにより，前記再生指示コマンドを受信した録画再生装置Ｙが，指定された記録コンテンツの再生処理を実行し，その再生信号（音声信号及び映像信号）がＨＤＭＩインターフェース１６を通じて当該テレビジョン受像機Ｘに入力される。
【００２３】
［ステップＳ１３］
次に，制御回路８は，ディジタルチューナ１や映像入力選択回路５を制御することにより，ステップＳ１０において選択が確定したコンテンツ（出力対象とするコンテンツ）の映像を映像表示部７に表示させ（Ｓ１３，前記選択コンテンツ出力制御手段の一例），その後，処理を前述したステップＳ１へ戻す。
例えば，既に映像を表示中のコンテンツが放送中コンテンツであり，新たな出力対象のコンテンツ（選択を確定したコンテンツ）も放送中コンテンツである場合，制御回路８は，新たな出力対象のコンテンツ（放送番組）のチャンネルが選局されるようディジタルチューナ１を制御する。また，既に映像を表示中のコンテンツが放送中コンテンツであり，新たな出力対象のコンテンツ（選択を確定したコンテンツ）が記録コンテンツである場合，制御回路８は，新たな出力対象のコンテンツの映像信号が映像表示部７に伝送されるよう映像入力選択回路５を制御する。
なお，制御回路８は，ステップＳ１３において，音声信号についても同様の処理により，選択されたコンテンツの音声がスピーカ１４を通じて出力されるよう音声入力選択回路１１を制御する。
【００２４】
以上に示したように，テレビジョン受像機Ｘは，ディジタルチューナ１を通じて得られる放送中コンテンツ（放送番組）と，外部の録画再生装置Ｙに記録されている記録コンテンツとを併せた出力候補コンテンツを，ジャンル（分類項目の一例）によって一括して複数のグループに分類（Ｓ３）するとともに，各グループのタイトルの一覧を初期メニューとするプルダウンメニュー選択処理（Ｓ５〜Ｓ１０）によって出力対象とするコンテンツを選択する。そのため，ユーザは，テレビジョン受像機Ｘ及び録画再生装置Ｙのそれぞれがどのようなコンテンツを受信又は記憶しているかを把握していなくても，簡易なプルダウンメニュー選択操作によって出力対象とするコンテンツを選択できる。
特に，放送中コンテンツ及び記録コンテンツの全体が，ユーザの嗜好を表すジャンルにより一括して分類（グループ化）されるため，ユーザは，その時々の気分に応じたコンテンツを出力対象として容易に選択できる。
また，テレビジョン受像機Ｘは，図４に示すように，既に表示中の映像ｖ０と併せて出力候補コンテンツの各グループのタイトルの一覧をプルダウンメニュー選択処理における初期メニューｖ１として映像表示部７に表示させる（Ｓ４）ため，ユーザの選択操作により選択されたグループに対応するコンテンツの情報以外の無駄な情報（他のグループに分類されたコンテンツの情報）は表示されない。そのため，テレビジョン受像機Ｘは，出力対象とするコンテンツの選択の際に，既に表示中のコンテンツ映像ｖ０の鑑賞をほとんど妨げない。
【００２５】
また，テレビジョン受像機Ｘにおける制御回路８が，リモコン１５（操作部の一例）を通じた入力情報に基づいて，ステップＳ３でのコンテンツの分類（グループ化）に用る分類項目であるジャンル及びその内容の一方又は両方を設定する分類項目設定機能を備えればなお好適である（前記分類項目設定手段の一例）。
例えば，制御回路８は，コンテンツ情報における分類項目の候補（「ジャンル」，「タイトル」，「出演者」など）を選択メニューとして映像表示部７に表示させ，リモコン１５に対する前記選択操作（カーソル移動操作）に応じてステップＳ３で用いる分類項目の設定（不揮発メモリ８ｃへの記録等）を行う。以下，この処理によって設定された分類項目を設定分類項目という。
さらに，制御回路８は，リモコン１５に対する所定の文字入力操作に応じて，設定した分類項目に対応するキーワードの設定（不揮発メモリへの記録等）を行う。ここで，制御回路８は，例えば，５０音の文字一覧表を映像表示部７に表示させ，前記選択操作に応じて１つ又は複数の文字を選択することによって複数のキーワード（文字列）を設定する。以下，この処理によって設定されたキーワードを設定キーワードという。
そして，制御回路８は，ステップＳ３において，コンテンツ情報における前記設定分類項目の内容が前記設定キーワードのいずれを含むかによってコンテンツの分類を行う。なお，この場合，１つのコンテンツが２つ以上のグループに分類されてもよい。また，制御回路８が，分類項目又はその内容のいずれか一方のみをリモコン１５に対する操作に応じて設定する機能を備えることも考えられる。
これにより，ユーザの嗜好に応じた前記分類項目やその内容を設定でき，より利便性（自由度）が高まる。
【００２６】
また，ステップＳ３において，制御回路８が，前記放送中コンテンツについてはその放送媒体の種類（地上波，ＢＳ等）を分類項目とし，前記記録コンテンツについてはそのコンテンツの記録先の種類（外部装置の名称やコンテンツの記録メディア（ＨＤＤ，ＤＶＤ等）など）を分類項目とすることも考えられる。この場合，放送中コンテンツの放送媒体の種類と，記録コンテンツの記録先の種類とが同列の分類項目として取り扱われる。
図５は，放送媒体の種類及び記録コンテンツの記録先の種類が分類項目である場合の出力対象コンテンツ選択用のプルダウンメニュー画面の例（第２の例）を表す図である。
この場合，制御回路８は，ステップＳ４において，放送メディアの種類を表すグループ（分類）のタイトル（「地上」，「ＢＳ」，「ＣＳ」）と，記録コンテンツの記録先の種類を表すグループのタイトル（「レコーダ名＋記録メディアの種類」）とが同列に配列されたプルダウンメニューの初期画面ｖ１’として映像表示部７に表示させる。
さらに，制御回路８は，いずれかのグループが選択された場合，そのグループに属する（分類された）コンテンツのコンテンツ情報のリスト，例えば，コンテンツのタイトル及びジャンルのリストをプルダウンメニューｖ２’として映像表示部７に表示させる。
このようなプルダウンメニュー表示を行う場合であっても，出力対象とするコンテンツの選択操作を簡易化でき，さらに，その選択の際にコンテンツ映像の鑑賞をほとんど妨げない。
【００２７】
以上に示した実施形態では，テレビジョン受像機Ｘが，外部装置と通信を行う手段としてHDMIインターフェース１６を備えた例を示したが，これが他の通信手段に置き換えられた例も考えられる。
また，テレビジョン受像機Ｘが，外部装置からＡＶ信号（音声信号及び映像信号）を入力するインターフェースとしてＨＤＭＩインターフェース１６を備えた例を示したが，これに置き換えて或いはこれに加えて他の信号入力インターフェース（例えば，コンポジット入力端子等）を備えたテレビジョン受像機も考えられる。
【産業上の利用可能性】
【００２８】
本発明は，テレビジョン受像機への利用が可能である。
【図面の簡単な説明】
【００２９】
【図１】本発明の実施形態に係るテレビジョン受像機Ｘの概略構成を表すブロック図。
【図２】テレビジョン受像機Ｘにおける出力対象コンテンツ選択処理の手順を表すフローチャート。
【図３】テレビジョン受像機Ｘにおける出力対象コンテンツ選択用の初期メニュー画面の一例を表す図。
【図４】テレビジョン受像機Ｘにおける出力対象コンテンツ選択用のプルダウンメニュー画面の第１の例を表す図。
【図５】テレビジョン受像機Ｘにおける出力対象コンテンツ選択用のプルダウンメニュー画面の第２の例を表す図。
【符号の説明】
【００３０】
Ｘ  ：テレビジョン受像機
１  ：ディジタルチューナ
２  ：復調回路
３  ：デマルチプレクサ
４  ：映像デコーダ回路
５  ：映像入力選択回路
６  ：映像処理回路
７  ：映像表示部
８  ：制御回路
９  ：リモコン受光部
１０：音声デコーダ回路
１１：音声入力選択回路
１２：音声処理回路
１３：アンプ
１４：スピーカ
１５：リモコン
１６：ＨＤＭＩインターフェース
Ｓ１，Ｓ２，・・：ステップ（処理手順）
【図１】
2009065409.tif 000003
【図２】
2009065409.tif 000004
【図３】
2009065409.tif 000005
【図４】
2009065409.tif 000006
【図５】
2009065409.tif 000007